(57)【要約】【課題】  従来の演出効果を維持しつつ演出用ランプ等が消費する電力量を低減させた照明装置及びそれを搭載する遊技機を提供する。【解決手段】  発光ダイオードからなる発光源と、発光源に対して複数本接続される光ファイバとを備え、光ファイバの他端面に形成された球面状の発光部が遊技機の演出用ランプを照明する。これにより、遊技機に設けられる発光ダイオードの数を従来よりも減らし、遊技機全体の消費電力を節約する。【選択図】  図４
2005143652.tif 000002
【特許請求の範囲】
【請求項１】
前面パネル部にランプからなる電飾装置が設けられている遊技機であって、少なくとも一つの発光源と、
前記発光源に対して複数本接続され、当該発光源が供給する光を一端から導入し他端側に設けられている前記ランプへ伝達して照明する光ファイバと、を備えることを特徴とする遊技機。
【請求項２】
前記ランプが設けられている側の前記光ファイバの端面は、球面状を有していることを特徴とする請求項１に記載の遊技機。
【請求項３】
前記複数本の光ファイバは、その各端部が前記発光源を中心に囲むように配設されて当該発光源に接続していることを特徴とする請求項１又は２に記載の遊技機。
【請求項４】
前記発光源は、発光ダイオードであること特徴とする請求項１〜３の何れか１項に記載の遊技機。
【請求項５】
遊技機の前面パネル部に設けられているランプを照明する照明装置であって、発光ダイオードと、
前記発光ダイオードに対して複数本接続され、当該発光ダイオードが発光する光を一端から導入し他端側に設けられている前記ランプへ伝達して照明する光ファイバと、を備えることを特徴とする照明装置。
【請求項６】
前記ランプが設けられている側の前記光ファイバの端面は、球面状を有していることを特徴とする請求項５に記載の照明装置。
【請求項７】
前記複数本の光ファイバは、その各端部が前記発光ダイオードを中心に囲むように配設されて当該発光ダイオードに接続していることを特徴とする請求項５又は６に記載の照明装置。
【発明の詳細な説明】
【技術分野】
【０００１】
本発明は、パチンコ、スロットマシンその他の遊技機に関し、特に消費電力の低減が図られた遊技機に関するものである。
【背景技術】
【０００２】
近年、スロットマシン等の遊技機においては、フロントパネルに様々なデザインを施し遊技客の視覚に訴える演出を行うことが他社機との差別化を強調する上で一つの重要な要素となっている。
【０００３】
例えば、スロットマシンのフロントパネルには、リールに描かれた図柄を回転表示する回胴装置の他に、数多くのランプからなる電飾装置やスピーカ等の音響装置、更には液晶表示装置など様々な演出装置を備えている。特に、電飾装置は、遊技客に目立つように複雑な形状に意匠が施された複数の演出用ランプが組み合わされてフロントパネルに配置されており、各演出用ランプの中には更に小さな高輝度の発光ダイオード等からなる発光素子が数多く配設されている。
【発明の開示】
【発明が解決しようとする課題】
【０００４】
しかし、従来のスロットマシン等の遊技機は、上述したように遊技客の視覚に訴える演出を行ってできるだけ多くの遊技客を獲得しようとするために、数多くの演出用ランプがフロントパネルに設けられており、これら演出用ランプ等によって消費される電力も相当な量となっている。
【０００５】
本発明はこうした従来の問題に鑑みてなされたものであり、従来の演出効果を維持しつつ演出用ランプが消費する電力量を低減する等の遊技機用の照明装置、またそれを搭載する遊技機を提供することを目的としている。
【課題を解決するための手段】
【０００６】
請求項１に記載の発明は、前面パネル部にランプからなる電飾装置が設けられている遊技機であって、少なくとも一つの発光源と、前記発光源に対して複数本接続され、当該発光源が供給する光を一端から導入し他端側に設けられている前記ランプへ伝達して照明する光ファイバと、を備えることを特徴とする。
【０００７】
請求項１に記載の遊技機によれば、発光源が供給する光を当該発光源に対して複数本設けられている光ファイバで分散してランプを照明する。これにより、各ランプが必要とする光量を効率的に配分することができ、発光源の数を従来よりも減らすことができる。したがって、ランプが消費する電力を低減することができる。
【０００８】
請求項２に記載の発明は、請求項１に記載の遊技機であって、前記ランプが設けられている側の前記光ファイバの端面は、球面状を有していることを特徴とする。
【０００９】
請求項２に記載の遊技機によれば、光ファイバを伝達した光が光ファイバの球面状の端面で拡散してランプを照明する。
【００１０】
請求項３に記載の発明は、請求項１又は２に記載の遊技機であって、前記複数本の光ファイバは、その各端部が前記発光源を中心に囲むように配設されて当該発光源に接続していることを特徴とする。
【００１１】
請求項３に記載の遊技機によれば、発光源で供給された光が複数本の光ファイバに漏れなく導入されるので、光の損失を少なくすることができる。
【００１２】
請求項４に記載の発明は、請求項１〜３の何れか１項に記載の遊技機であって、前記発光源は、発光ダイオードであること特徴とする。
【００１３】
請求項４に記載の遊技機によれば、発光源としての発光ダイオードが発光し、当該発光ダイオードに接続された複数本の光ファイバを介してランプを照明する。
【００１４】
請求項５に記載の発明は、遊技機の前面パネル部に設けられているランプを照明する照明装置であって、発光ダイオードと、前記発光ダイオードに対して複数本接続され、当該発光ダイオードが発光する光を一端から導入し他端側に設けられている前記ランプへ伝達して照明する光ファイバと、を備えることを特徴とする。
【００１５】
請求項５に記載の照明装置によれば、発光ダイオードが発光する光を当該発光ダイオードに対して複数本設けられている光ファイバで分散してランプを照明する。これにより、各ランプが必要とする光量を効率的に配分することができ、発光ダイオードの数を従来よりも減らすことができる。したがって、照明装置が消費する電力を低減することができる。
【００１６】
請求項６に記載の発明は、請求項５に記載の照明装置であって、前記ランプが設けられている側の前記光ファイバの端面は、球面状を有していることを特徴とする。
【００１７】
請求項６に記載の照明装置によれば、光ファイバを伝達した光が光ファイバの球面状の端面で拡散してランプを照明する。
【００１８】
請求項７に記載の発明は、請求項５又は６に記載の照明装置であって、前記複数本の光ファイバは、その各端部が前記発光ダイオードを中心に囲むように配設されて当該発光ダイオードに接続していることを特徴とする。
【００１９】
請求項７に記載の照明装置によれば、発光ダイオードで発光された光が複数本の光ファイバに漏れなく導入されるので、光の損失を少なくすることができる。
【発明の効果】
【００２０】
請求項１〜４に係る発明によれば、発光源が発光する光を漏れなく複数の光ファイバへ供給し、また効率良く光を配分してランプを照明するので、従来よりも少ない数の発光源でランプを同じ明るさで照明し、言い換えると同様の演出効果を維持することができる。これにより、遊技機の消費電力を低減することができる。
【００２１】
請求項５〜７に係る発明によれば、発光ダイオードが発光する光を効率よく配分してランプを照明するので、従来よりも少ない数の発光ダイオードを設けて消費電力を低減することができる。また、意匠を凝らした複雑な形状のランプであってもその形状に合わせて光ファイバの端面を配置することで、ランプを均一に照明することができる。
【発明を実施するための最良の形態】
【００２２】
以下、本発明の好適な実施形態を図面を参照しながら説明する。ここでは、本発明が適用された遊技機として、スロットマシン１について説明する。図１は、スロットマシン１の外観構造を表した正面図、図２はスロットマシン１の内部構造を表した図である。スロットマシン１は、箱状の筐体３に蝶番機構によってフロントドア２が開閉可能に取り付けられている。
【００２３】
図１において、フロントドア２の遊技者に面する側には、硬質プラスチックでそれぞれほぼ一体的に形成された、いわゆる化粧板に相当する上部パネル部２１、中部パネル部２２、及び下部パネル部２３が設けられている。そして、中部パネル部２２と下部パネル部２３との間に、遊技者側に若干突出し、ゲーム操作を行うための後述するスイッチ類が配置されている操作卓２４が一体的に設けられている。なお、上部パネル部２１、中部パネル部２２、下部パネル部２３、及び操作卓２４は遊技者側に面し、これらにより「前面パネル部」が構成されている。
【００２４】
上部パネル部２１には、発光する領域の形状が直線状又は円弧状等それぞれ意匠的にデザインされた演出用ランプ２１４，２１５ａ，２１５ｂ，２１６ａ，２１６ｂが配設されている。なお、各演出用ランプ２１４，２１５ａ，２１５ｂ，２１６ａ，２１６ｂには、高輝度の発光ダイオードから形成された後述する照明装置が組み込まれている。
【００２５】
また、上部パネル部２１のほぼ中央には、透明な硬質プラスチック板等が嵌め込まれて形成された表示窓２１３に面して液晶表示装置２１２が配置されている。すなわち、表示窓２１３を通して液晶表示装置２１２が表示する映像が目視される。なお、液晶表示装置２１２は、ゲームの演出に係る映像を主に表示する演出表示装置のひとつである。
【００２６】
また、表示窓２１３の両端側には、演出効果音を発する図示しないスピーカが裏面側に取り付けられている網目状の放音部２１１ａ，２１１ｂがそれぞれ配設されている。
【００２７】
中部パネル部２２には、硬質プラスチック板等で形成されたパネル面２２１が設けられている。パネル面２２１のほぼ中央には略長方形の透明な表示窓２２２が形成され、表示窓２２２を通して筐体３内に取り付けられている３個のリール３１１ａ，３１１ｂ，３１１ｃを目視できるようになっている。
【００２８】
ここで、詳細は後述するが、筐体３内に設置されている回胴装置３１は、３個の円筒形状のリール３１１ａ，３１１ｂ，３１１ｃが回転軸方向に並べられて構成され、各リール３１１ａ，３１１ｂ，３１１ｃの外周面にはその周方向に沿って複数種類の図柄が描かれている。そして、遊技者は、表示窓２２２を通して一のリールに描かれた上下方向３個の図柄と、横方向に配列されたリール３列の図柄を目視することができる。また、遊技者の指示操作に応じて、各リール３１１ａ，３１１ｂ，３１１ｃは回転及び停止の動作が行われ、これにより、表示されるリールの図柄の種類が変更されるようになっている。
【００２９】
また、中部パネル部２２のパネル面２２１には、裏面側に設けられている図示しないランプを点灯させることで例えば入賞役への内部当選など遊技状態に関する情報を演出表示する遊技情報表示装置２２３と、複数の発光ダイオードがマトリクス状に配列され各発光ダイオードを選択的に発光させることでドット画像を演出表示するドット表示装置２２４と、スロットマシン１にクレジット（貯留）されている遊技メダル（以下、単に「メダル」）数や、入賞によって獲得したメダル数、又は入賞役への当選回数等の数値情報を表示する７セグＬＥＤからなる数値情報表示装置２２５が設けられている。
【００３０】
更にパネル面２２１には、スロットマシン１の使用方法やゲーム内容の説明等が、視覚効果を高めてデザインされた文字等によって描かれている。
【００３１】
中部パネル部２２の下側には、遊技者側（前方）に向かって若干下がりながら傾斜した平面を有する操作卓２４が形成されている。操作卓２４の当該平面の右側には、メダルを投入するためのメダル投入部２４１が設けられ、当該平面の左側には、押しボタンスイッチである２個のベットボタン２４３，２４４が設けられている。
【００３２】
ベットボタン２４３，２４４はスロットマシンの１ゲームに賭けるメダルの枚数を提示するためのボタンスイッチである。ゲームを開始する際に、ベットボタン２４３が押圧操作されることで、貯留されているメダルから２枚のメダルが当該ゲームに対して賭けられる。同様に、ベットボタン２４４が押圧操作されることで、３枚のメダルが賭けられる。なお、ベットボタン２４４は、１回のゲームに賭けることができる最多枚数のメダルを提示するために設けられていることから、特に「マックスベットボタン」と呼ばれている。
【００３３】
操作卓２４の前面左側には、リール３１１ａ，３１１ｂ，３１１ｃの回転開始を指示するためのスタートレバー２４５が設けられ、操作卓２４の前面ほぼ中央には、リール３１１ａ，３１１ｂ，３１１ｃの回転停止を指示するための押しボタンスイッチである３個のストップボタン２４６ａ，２４６ｂ，２４６ｃが各リール３１１ａ，３１１ｂ，３１１ｃに対応して設けられている。
【００３４】
スタートレバー２４５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。ストップボタン２４６ａ，２４６ｂ，２４６ｃは、押圧操作することで回転中のリール３１１ａ，３１１ｂ，３１１ｃをそれぞれ独立して停止させるためのスイッチである。
【００３５】
すなわち、遊技者がベットボタン２４３又は２４４を押圧操作することで当該ゲームに賭けるメダル数を提示し、そして、スタートレバー２４５を傾倒操作すると、各リール３１１ａ，３１１ｂ，３１１ｃが一斉に回転するようになっている。この時スロットマシン１は、当該ゲームの入賞に係る役（入賞役）の抽選を内部的な処理により行う（以下、これを「内部抽選」という）。
【００３６】
各リール３１１ａ，３１１ｂ，３１１ｃが所定の回転数に達すると、ストップボタン２４６ａ，２４６ｂ，２４６ｃによるリール停止操作が準備完了の状態となる。この状態で、遊技者がストップボタン２４６ａ，２４６ｂ，２４６ｃを任意の順序で押圧操作することにより、対応するリールが停止制御される。そして、停止した３個のリール３１１ａ，３１１ｂ，３１１ｃにより表示される図柄が上述の内部抽選で当選した役に対応する組合せで有効なライン上に揃うと入賞となり、その入賞役の種類に応じた枚数のメダルが遊技者に配当されるようになっている。
【００３７】
操作卓２４の前面右側には、フロントドア２を開錠するための鍵が挿入される鍵穴２４７が設けられている。スロットマシン１の管理者等が鍵穴２４７に所定の鍵を挿入して開錠操作すると、蝶番機構によって筐体３に取り付けられているフロントドア２を前方へ開くことができ、またフロントドア２を筐体３側に閉じると、自動的にこれらを施錠するようになっている。
【００３８】
下部パネル部２３には、スロットマシン１のゲーム内容又は登場キャラクタなどを紹介するためのパネル２３１が設けられている。また、下部パネル部２３の両側部には、高輝度の発光ダイオードを備える後述する照明装置が内部に設置されている演出用ランプ２３５ａ，２３５ｂが設けられている。なお、ゲームの進行に応じて上述した複数の演出用ランプ２１４，２１５ａ，２１５ｂ，２１６ａ，２１６ｂ，２３５ａ，２３５ｂ等が点灯及び点滅することで、ゲームの演出効果を高めるようになっている。
【００３９】
また、パネル２３１の下側には、メダルを排出するための排出口２３２と、排出されたメダルを受ける受皿２３３とが設けられている。更に排出口２３２に隣接して、多数の孔から形成された放音部２３４ａ，２３４ｂが設けられ、演出効果音を発する後述のスピーカが放音部２３４ａ，２３４ｂの裏面側に配置されている。
【００４０】
次に、図２を参照して、フロントドア２の裏面構造と、筐体３の内部構造を説明する。なお、図２は、フロントドア２を筐体３から開いた状態を表している。
【００４１】
同図において、フロントドア２の裏面上部には、演出用ランプ２１４を介して照明光を放出する発光部２５３ｅと、高輝度発光ダイオードから形成された発光源２５３ｓと、発光源２５３ｓからの光を発光部２５３ｅへ導光する光ファイバから形成された導光部２５３ｆとを備えた後述の照明装置２５３が配設されている。なお、図２には示していないが、前面パネル部に設けられている他の演出用ランプ２１５ａ，２１５ｂ，２１６ａ，２１６ｂ，２３５ａ，２３５ｂに対しても同様の照明装置２５３がフロントドア２の裏面に配設されている。
【００４２】
また、フロントドア２の裏面には、上述の放音部２１１ａ，２１１ｂに対向してスピーカ２５１ａ，２５１ｂが取り付けられている。また、図２には示されていないが、スピーカ２５１ａ，２５１ｂの間に上述の表示窓２１３が位置しており、液晶表示装置２１２がその表示面を表示窓２１３に向けて取り付けられている。更に、液晶表示装置２１２の裏面側に、電気回路基板で形成されたサブ制御基板２００が取り付けられている。
【００４３】
なお、詳細は後述するが、スロットマシン１全体の動作は、筐体３側に設けられている主制御基板３００によって統括制御されており、サブ制御基板２００は、液晶表示装置２１２の表示制御、及び演出用ランプ２１４，２１５ａ，２１５ｂ，２１６ａ，２１６ｂ，２３５ａ，２３５ｂ、スピーカ２５１ａ，２５１ｂ，２５２ａ，２５２ｂの制御等、ゲームの演出に係る制御を主に行っている。
【００４４】
サブ制御基板２００の下方には、リール３１１ａ，３１１ｂ，３１１ｃを目視させるための表示窓２２２を有するパネル面２２１が取り付けられている。表示窓２２２の下方には、中央表示基板２４０と呼ばれる電気回路（中継）基板が設けられている。中央表示基板２４０には、操作卓２４に設けられているベットボタン２４３，２４４と、スタートレバー２４５と、ストップボタン２４６ａ，２４６ｂ，２４６ｃなどのスイッチ類が電気的に接続されており、これらスイッチ類の出力信号が主制御基板３００に転送されるように配線接続されている。
【００４５】
中央表示基板２４０の下方には、メダル投入部２４１に投入される投入物を正規のメダルか異物か判別して振り分けるセレクト機構２６１と、セレクト機構２６１で振り分けられたメダルを筐体３内に設けられているホッパ装置３２１へ案内するガイド部材２６２と、セレクト機構２６１で振り分けられた異物を排出口２３２へ案内するガイド部材２６３と、ホッパ装置３２１から排出されるメダルを排出口２３２へ案内するガイド部材２６４が設けられている。また、排出口２３２の両側には、上述した放音部２３４ａ，２３４ｂに対向してスピーカ２５２ａ，２５２ｂが取り付けられており、これにより放音部２３４ａ，２３４ｂを介して演出効果音を出力するように構成されている。
【００４６】
次に、筐体３内の略中央には、３個のリール３１１ａ，３１１ｂ，３１１ｃを備える回胴装置３１が設けられている。回胴装置３１は、フロントドア２が筐体３側に閉じられると表示窓２２２にリール３１１ａ，３１１ｂ，３１１ｃが対向するように、筐体３の所定フレーム（符号略）に位置決めして取り付けられている。なお、回胴装置３１の上面には、リール３１１ａ，３１１ｂ，３１１ｃを回転駆動するステッピングモータを制御するための制御基板である図示しない回胴装置基板３１０が設けられている。
【００４７】
回胴装置３１の上方には、スロットマシン１の全体動作を集中制御する主制御基板３００が取り付けられている。回胴装置３１の下方には、ホッパ装置３２１と、ホッパ装置３２１から溢れたメダルを収容するための補助貯留部３２２と、主電源装置３３１が設けられている。主電源装置３３１の側面には、いわゆる配電盤に相当する電源装置基板３３０が設けられている。更に、筐体３内の上部右壁面に、遊技施設に設置されている「ホールコンピュータ」と呼ばれる管理用コンピュータと接続可能な外部集中端子基板３９０が取り付けられている。
【００４８】
そして、上述の主制御基板３００、サブ制御基板２００、中央表示基板２４０、回胴装置基板３１０、電源装置基板３３０、外部集中端子基板３９０は、何れも導電性配線パターンの形成された絶縁性樹脂基板上に集積回路（ＩＣ）やトランジスタ、抵抗、コンデンサ等の電子部品が搭載されて配線接続されたいわゆる電気回路基板として形成されている。なお、主制御基板３００とサブ制御基板２００は、それぞれ硬質プラスチックのケースに収納されたユニット構造となっている。
【００４９】
次に、図３のブロック図を参照して、スロットマシン１に設けられている制御システムについて説明する。まず、図２には説明の便宜上示されていないが、主制御基板３００には、サブ制御基板２００、回動装置基板３１０、中央表示基板２４０、電源装置基板３３０、及び外部集中端子基板３９０がそれぞれ配線ケーブルによって接続されている。
【００５０】
主制御基板３００は、演算装置としてのＣＰＵと半導体メモリであるＲＯＭ、及びＲＡＭ等の電子部品が搭載されており、ＲＯＭに予め記憶されているシステムプログラムとスロットマシンゲーム用のプログラムに従ってＣＰＵが演算処理し、各制御基板２００，３１０等に所定の指令内容を含む制御信号を送出することでそれぞれに分散制御を行わせ、これによりスロットマシン１全体を集中制御する。
【００５１】
中央表示基板２４０は、ベットボタン２４３，２４４と、スタートレバー２４５及びストップボタン２４６ａ，２４６ｂ，２４６ｃが接続され、これらスイッチから出力される出力信号を主制御基板３００へ転送する中継基板として機能する。また、中央表示基板２４０は、セレクト機構２６１に設けられている遊技メダル検出センサから出力される出力信号を主制御基板３００へ転送し、メダル投入部２４１に投入されたメダル枚数を知らせると共に、異物の投入や目詰まりの発生等を知らせる。また、中央表示基板２４０には、モニタＬＥＤ２４８が接続されており、スロットマシン１が異常の場合にそのエラー情報等を表示する。
【００５２】
サブ制御基板２００は、主に演出を制御実行するための制御基板である。サブ制御基板２００には、演出用ランプ２１４，２１５ａ，２１５ｂ，２１６ａ，２１６ｂ，２３５ａ，２３５ｂ等を発光させる照明装置２５３に対し点灯・点滅させる制御を行うための照明制御部２０１と、スピーカ２５１ａ，２５１ｂ，２５２ａ，２５２ｂを鳴動制御するための音響制御部２０２と、ＶＤＰ（Video Display Processor）やフレームメモリ又はビデオＲＡＭ等を搭載し液晶表示装置２１２に演出映像を表示させる制御を行うための表示装置制御部２０３と、ドット表示装置２２４や遊技情報表示装置２２３などに遊技情報を表示させる制御を行う遊技情報表示制御部２０４とを備えている。
【００５３】
サブ制御基板２００は、主制御基板３００から演出開始を示唆する制御信号が供給されると、これら演出用ランプ２１４，２１５ａ，２１５ｂ，２１６ａ，２１６ｂ，２３５ａ，２３５ｂを駆動し、また液晶表示装置２１２に演出映像を表示することによって、遊技者の視覚と聴覚に訴える演出を行う。
【００５４】
回胴装置基板３１０には、リール３１１ａ，３１１ｂ，３１１ｃを回転駆動するステッピングモータ３１２ａ，３１２ｂ，３１２ｃと、各リール３１１ａ，３１１ｂ，３１１ｃの回転位置を検出するフォトセンサ３１３ａ，３１３ｂ，３１３ｃとが接続されている。そして、主制御基板３００からリール３１１ａ，３１１ｂ，３１１ｃを回転又は停止させるべき旨の制御信号が供給されると、回胴装置基板３１０は、フォトセンサ３１３ａ，３１３ｂ，３１３ｃからの検出信号を受けて各リール３１１ａ，３１１ｂ，３１１ｃの回転位置を適切に把握しつつ、ステッピングモータ３１２ａ，３１２ｂ，３１２ｃへの駆動パルス信号を制御してリール３１１ａ，３１１ｂ，３１１ｃの動作を制御する。
【００５５】
電源装置基板３３０は、主電源装置３３１で発生される各種電源電圧をホッパ装置３２１その他の各所に配電する配電回路が形成されており、かかる配電回路からスロットマシン１の動作に必要なシステム電源を供給する。また、電源装置基板３３０は、主制御基板３００からメダルの払い出しをすべき旨の指令を受けると、ホッパ装置３２１を制御してメダルの払い出しを行わせる。
【００５６】
外部集中端子基板３９０は、主制御基板３００から出力されるスロットマシン１の状態信号又はゲームの進行状況等を示す信号を、上述のホールコンピュータへ送出するための端子基板である。
【００５７】
次に、上述した演出用ランプ２１４，２１５ａ，２１５ｂ，２１６ａ，２１６ｂ，２３５ａ，２３５ｂに備えられる照明装置２５３の構成を図４を参照して説明する。ここで、図４（ａ）は、照明装置２５３の構成を模式的に表した図であり、図４（ｂ）は、スロットマシン１に配設された照明装置２５３の構成を説明するために上部パネル部２１の一部を破断して表した図である。
【００５８】
図４（ａ）において、照明装置２５３は、ひとつの高輝度発光ダイオードである発光源２５３ｓと、発光源２５３ｓからの光を導光（伝達）する複数本の光ファイバの束からなる導光部２５３ｆとから主に構成され、各光ファイバの端部には発光源２５３ｓからの光を放出する発光部２５３ｅが形成されている。更に詳細には、導光部２５３ｆを形成している複数本の光ファイバの各一端部が発光源２５３ｓである高輝度発光ダイオードを中心にこれを囲むように密集して、いわばドーム状に接続されており、これにより発光源２５３ｓが発光する光は、ほぼ均等に、また漏れることなく各光ファイバの端部から導入される。
【００５９】
また、導光部２５３ｆである各光ファイバの他の端部には、球面状の切断面を有する発光部２５３ｅが形成されており、発光源２５３ｓから当該光ファイバを伝わって導光された光は、球面状の端面で拡散して放出される。
【００６０】
照明装置２５３は、例えば図４（ｂ）に示すように、演出用ランプ２１４，２１５ｂ，２１５ｃに組み込まれ、各発光部２５３ｅが光を放出することで、それぞれのランプを点灯するように配設される。つまり、演出用ランプ２１４，２１５ｂ，２１５ｃの形状、言い換えると発光領域の形状に合わせて複数の発光部２５３ｅが配列されている。
【００６１】
かかる構成の照明装置２５３によれば、ひとつの発光源２５３ｓからの光を複数の光ファイバで分散して各演出用ランプ２１４，２１５ａ，２１５ｂ，２１６ａ，２１６ｂへ供給するので、各演出用ランプが必要とする光量を無駄なく効率的に配分することができるので、結果的に発光源２５３ｓとしての高輝度発光ダイオードの数を従来よりも減らすことができる。また、発光源２５３ｓからの光が複数本の光ファイバからなる導光部２５３ｆに漏れなく導入され発光部２５３ｅで放出されるので、照明光の損失を少なくすることができ、これによっても、発光源２５３ｓである高輝度発光ダイオードをより少ない数にすることができる。したがって、演出用ランプ２１４，２１５ａ，２１５ｂ，２１６ａ，２１６ｂ，２３５ａ，２３５ｂにより消費される電力を節約することができ、ひいてはスロットマシン１の消費電力量を低減することができる。
【００６２】
また、光ファイバの先端部である発光部２５３ｅは、従来の高輝度発光ダイオードよりも小さく形成されているので、意匠を凝らした複雑な形状の演出用ランプであってもその形状に合わせてほぼ均等間隔に配列することができ、演出用ランプの発光領域をむらなくほぼ均一に照明することができる。
【００６３】
なお、図５は、スロットマシン１の演出用ランプにおいて、従来の高輝度発光ダイオードを備えた場合と、本発明に係る照明装置２５３を採用した場合の高輝度発光ダイオード（ＬＥＤ１〜５）の数を比較した図である。同図に示すように、従来は２０個の高輝度発光ダイオード（ＬＥＤ１〜２０）が演出用ランプに設けられていたが、本照明装置を２５３を採用することにより、高輝度発光ダイオードの数は５個（ＬＥＤ１〜５）に低減することができ、演出用ランプの消費電力を１／４にすることができる。
【図面の簡単な説明】
【００６４】
【図１】スロットマシンの外観構造を表した正面図である。
【図２】スロットマシンの内部構造を表した図である。
【図３】スロットマシンの制御システムを表すブロック図である。
【図４】図４（ａ）は、演出用ランプに備えられる照明装置の構成を模式的に表した図である。図４（ｂ）は、照明装置の構成を説明するためにスロットマシンの上部パネル部の一部を破断して表した図である。
【図５】スロットマシンの演出用ランプにおいて、従来の高輝度発光ダイオードを備えた場合と、本発明に係る照明装置を採用した場合の高輝度発光ダイオードの数を比較した図である。
【符号の説明】
【００６５】
１…  スロットマシン、  ２…  フロントドア、  ３…  筐体、
２００…  サブ制御基板、  ２１２…  液晶表示装置、
２１４，２１５，２１６，２３５…  演出用ランプ、
２４０…  中央表示基板、  ２４１…  メダル投入部、
２４３，２４４…  ベットボタン、  ２４５…  スタートレバー、
２４６ａ，２４６ｂ，２４６ｃ…  ストップボタン、
２５１ａ，２５１ｂ，２５２ａ，２５２ｂ…  スピーカ、
２５３…  照明装置、  ２５３ｅ…  発光部、
２５３ｆ…  導光部（光ファイバ）、
２５３ｓ…  発光源（高輝度発光ダイオード）
３１…  回胴装置、  ３１１ａ，３１１ｂ，３１１ｃ…  リール、
３００…  主制御基板
【図１】
2005143652.tif 000003
【図２】
2005143652.tif 000004
【図３】
2005143652.tif 000005
【図４】
2005143652.tif 000006
【図５】
2005143652.tif 000007